(57)【要約】【課題】設置スペースを有効に利用して、給液操作などメンテナンスが効率よく実施できるように配置される作業機械のウオッシャタンク取付構造を提供する。【解決手段】作業機械の外側部に設けられるバッテリー収納部９で、収容されたバッテリー１２の上方位置に、車体側と繋がる固定支持部材１３に基端部を縦軸ピン１４で枢支される取付フレーム１６が設けられ、収納時には前記バッテリー１２の上方位置に収容保持され、液補給時には前記縦軸ピン１４周りに回動させてバッテリー収納部９外に引き出し給液できるようにウオッシャタンク１５が設けられている。【選択図】          図３
2004196037.tif 000002
【特許請求の範囲】
【請求項１】
作業機械の外側部に設けられるバッテリー収納部で、収容されたバッテリーの上方位置に、車体側と繋がる固定支持部材に基端部を縦軸ピンで枢支されるフレームに取付けられて、収納時には前記バッテリーの上方位置に収容保持され、液補給時には前記縦軸ピン周りに回動させてバッテリー収納部外に引き出し給液できるようにウオッシャタンクが設けられていることを特徴とする作業機械のウオッシャタンク取付構造。
【請求項２】
前記ウオッシャタンクは、車体側と繋がる固定支持部材に枢支されるフレームの内面側に取付けられ、前記バッテリー収納部の側面に付設される側面カバーを閉じたとき、前記フレームが前記側面カバーによって外向き回動を阻止されて定位置に保持される構成である請求項１に記載の作業機械のウオッシャタンク取付構造。
【発明の詳細な説明】
【０００１】
【発明の属する技術分野】
本発明は、ブルドーザ，油圧ショベルなどの作業機械に設けられるウインドウオッシャタンクに関するもので、詳しくは車両の有効スペースを利用して配置させるとともにメンテナンス性を向上させ得るように設けられる作業機械のウオッシャタンク取付構造に関するものである。
【０００２】
【従来の技術】
従来、一般にブルドーザや油圧ショベルなど作業時に粉塵が飛来するなかで作業が行われる作業機械にあっては、作業時の視界性を確保するために、運転室の窓を払拭するワイパー装置が付設されている。このワイパー装置の作動時には、ワイパーによる払拭効果を高めかつその動作を確保するために、ウオッシャ液を払拭面に吹付けるようにされている。そのために、車両の適所にウオッシャタンクが設けられ、ワイパーによる窓の払拭操作時に前記ウオッシャタンクからウオッシャ液を噴射ノズルに供給して払拭面に吹付けている。
【０００３】
前記ウオッシャタンクは、ワイパー装置が付設される運転室の近傍に設けられるのが好ましいが、運転室内では操縦性や作業時の居住性が優先されるので、そのウオッシャタンクを設置する場所としては、通常運転室外に配置されている。その一例として特許文献１に見られるように、キャビン前下部に設けられるバンパの空洞部やエンジンルームなどに内装されている。また、ワイパー装置による窓の払拭に対してウオッシャ液を供給するのに有効な個所として運転室に隣接する外部で設置することが行なわれている。その実施形態を図４によって示す。
【０００４】
前記図４に示されるのは、車両における運転室のちょうど真横位置に設けられるバッテリー収納部３０のカバー内上方位置に設けられる取付け具３１を介して二個のウオッシャタンク３２，３２が縦列に並べて配置され、それらウオッシャタンク３２から図示されないポンプを介してワイパー装置（図示せず）の近傍に設けられる噴射ノズルに配管される。なお、バッテリー３５はバッテリー収納部３０の内下面上に載置されている。
【０００５】
【特許文献１】
実開平６−８１８５１号公報
【０００６】
【発明が解決しようとする課題】
粉塵の飛散が激しい作業現場で作業を行う作業機械（例えばブルドーザ）にあっては、作業時の視界性が優先されるので、運転者が前方視界を確保するために、ワイパー装置を頻繁に作動させることになる。したがって、ワイパーの作動に比例してウオッシャ液の消費量も多くなり、当然のことながら、ウオッシャ液をしばしば補給する必要がある。
【０００７】
このようなことから、前記特許文献１によって知られるようなウオッシャタンクの設置では、ウオッシャ液の補給に際してタンクを取出す、あるいはウオッシャタンクに液を直接補給するのに非常に不便である。また、前記図４によって示されるような方式では、バッテリー３５の格納部の上側にウオッシャタンク３２が取付けられているので、そのウオッシャ液を補給する際に、ウオッシャタンク３２が取付け具３１を介して固定的に配置されているので、液補給が不便であり、充分注意を払って液の補給を行わないと、こぼした液が下側の位置にあるバッテリー３５に掛かり、ショートする恐れがあるので、ウオッシャタンク３２への液補給は慎重に行なわねばならないという問題点がある。
【０００８】
本発明は、前述のような問題点に鑑みてなされたもので、設置スペースを有効に利用して、給液操作などメンテナンスが効率よく実施できるように配置される作業機械のウオッシャタンク取付構造を提供することを目的とするものである。
【０００９】
【課題を解決するための手段および作用・効果】
前述された目的を達成するために、本発明による作業機械のウオッシャタンク取付構造は、
作業機械の外側部に設けられるバッテリー収納部で、収容されたバッテリーの上方位置に、車体側と繋がる固定支持部材に基端部を縦軸ピンで枢支されるフレームに取付けられて、収納時には前記バッテリーの上方位置に収容保持され、液補給時には前記縦軸ピン周りに回動させてバッテリー収納部外に引き出し給液できるようにウオッシャタンクが設けられていることを特徴とするものである。
【００１０】
本発明によれば、バッテリー収納部内を利用してウオッシャタンクを配置するにあたり、バッテリーの上方位置で水平回動可能に設けられたフレームにウオッシャタンクを取付けて収容するようにしたので、通常時にはバッテリー収納部内に収まって支障なく使用され、ウオッシャ液を補給するときにはバッテリー収納部から外側に引き出してバッテリーの上から外れた位置で給液することができる。したがって、ウオッシャタンクの上面が開放されて、かつバッテリーから離れた位置で給液することになるので、液がこぼれてもバッテリーにかかる心配がなく、給液操作を容易にすることができるという効果を奏する。また、バッテリーの点検・バッテリー液の補給に際しても、ウオッシャタンクを外側に移動させることにより上部が開放されるので、点検・給液操作を容易にするという利点がある。
【００１１】
前記発明において、前記ウオッシャタンクは、車体側と繋がる固定支持部材に枢支されるフレームの内面側に取付けられ、前記バッテリー収納部の側面に付設される側面カバーを閉じたとき、前記フレームが前記側面カバーによって外向き回動を阻止されて定位置に保持される構成であるのがよい。こうすると、ウオッシャタンクはバッテリー収納部内で特別な固定手段を要することなく定常位置に保たれ、側面カバーを開くと自由に外側へ回動させて液補給が行なえることになり、構造を簡単にして操作性を高めることができる。
【００１２】
【発明の実施の形態】
次に、本発明による作業機械のウオッシャタンク取付構造の具体的な実施の形態につき、図面を参照しつつ説明する。
【００１３】
図１には本発明にかかるウオッシャタンク取付構造が適用されるブルドーザの一実施形態全体斜視図が示されている。図２にはウオッシャタンク取付要部の平面図が、図３にはバッテリー収納部に配置されたウオッシャタンクの取出し態様を表わす斜視図が、それぞれ示されている。
【００１４】
この実施形態はブルドーザに適用した場合について説明する。ブルドーザ１は車体２の前上部にエンジン４が搭載され、その後部位置で車体２の上部に運転室３が設置されている。車体２の両側には走行用履帯５が一対配置され、図示されない駆動機構によって履帯が駆動されるようになされており、前部にブレード６が配置されている。前記運転室３の前窓３ａおよび両前側部の窓３ｂにはそれぞれワイパー装置７が付設され、それらワイパー装置７における噴射ノズル（図示せず）には後述するウオッシャタンク１５からウオッシャ液が供給されるようになっている。
【００１５】
前記運転室３の一方の側部には、ボックス状に形成されたバッテリー収納部９が車体２上に配置されている。このバッテリー収納部９は、側方に開閉できるサイドカバー１０を備えている。このサイドカバー１０は、車体軸線方向にバッテリー収納部９の後端部で枢支されて外向きに開閉できる構造にされ、閉じた状態でロックできる開閉操作用の把手１１を前端部に備えている。
【００１６】
前記バッテリー収納部９の内部には、バッテリー１２が収納配置されており、その一方のバッテリー１２の上方部空間を利用してウオッシャ液のタンク（ウオッシャタンク１５）が収容されている。そして、前記ウオッシャタンク１５は、バッテリー収納部９内に配置されて車体２側に固定されている固定支持部材１３の外側端部から後方に延長される部片１３ａの端部に、縦軸ピン１４によって基端部を枢支される長方形の板材にてなるフレーム１６に、そのフレーム１６が前記固定支持部材の部片１３ａと一軸上に配された状態での内側面に二個並列して取り付けられている。この状態で、取付フレーム１６が固定支持部材の部片１３ａと一軸上に揃うと、ウオッシャタンク１５がバッテリー１２の上部に位置してバッテリー収納部９に収まるようにされている。なお、ウオッシャタンク１５が収容位置（二点鎖線で表されている）に収まった状態でバッテリー収納部９のサイドカバー１０を閉じると、そのサイドカバー１０の内側面によって前記ウオッシャタンク１５を取付けた取付フレーム１６が押さえられて外向きに移動するのを阻止されるようになされている。
【００１７】
前記各ウオッシャタンク１５の上面には給液口１５ａが設けられ、キャップ１５ｂが取付けられている。また、ウオッシャタンク１５の下面には液出口１５ｃが設けられ、図示されない開閉弁を介してポンプ（図示せず）によってワイパー装置７に付随する液噴射ノズル（図示せず）までホース１７にて配管接続されている。また、ウオッシャタンク１５から噴射ノズルへの給液については、運転室３内の作動ボタンで周知の手段によりポンプを作動させて送られるようにされている。
【００１８】
本実施形態では、前記の構成でウオッシャタンク１５が配されているので、ウオッシャタンク１５へ液を補給する場合には、図３に示されるように、バッテリー収納部９のサイドカバー１０を開いて内部に収まっているウオッシャタンク１５を、その取付フレーム１６の自由端側を手前に引くと枢支される縦軸ピン１４を起点にして外側に引き出される。そこで、図示されるように、ほぼ反転状態位置まで取付フレーム１６を回動させることにより、ウオッシャタンク１５がバッテリー１２の上方位置から完全に外部に移動される。したがって、その状態で給液口１５ａのキャップ１５ｂを外して液を注入すれば、給液中に液がこぼれるようなことがあっても、バッテリー１２にかかることなく作業を行うことができ、問題が生じることはない。
【００１９】
一方、バッテリー１２の点検や交換作業を行なうときには、前記のようにウオッシャタンク１５を外側に移動させて作業すれば、バッテリー１２の上側は開放状態になるので、点検やバッテリー液の補給に際して支障なく作業が行なえる。もちろん、バッテリー１２を交換するために取出す際も支障を来すことがない。
【００２０】
外側に取出されたウオッシャタンク１５を収容位置に戻すには、フレーム１６の自由端を持ってバッテリー収納部９に向け回動させれば、簡単に元へ戻すことができる。以後サイドカバー１０を閉じて把手１１部でロックすれば、そのサイドカバー１０によってウオッシャタンク１５の取付フレーム１６が外向きに回動するのを阻止して、所定の位置に保持させるので、ブルドーザの運転中に支障を来すこともない。
【００２１】
このように、本実施形態の構成によれば、バッテリー収納部９の内部空間を有効に活用してウオッシャタンク１５を配置させることができるので、そのウオッシャタンク１５を合理的に運転室３に最も近い位置に配置して、ワイパー操作時にウオッシャ液の供給ができることになり、無駄なく効果的に窓の払拭が行なえる。また、液補給などもオペレータが立った状態で、車両の側部でウオッシャタンクの取出し・給液が行なえて効果的である。
【００２２】
以上の説明においては、ブルドーザにおけるウインドウオッシャのタンク取付け構造について記載したが、本発明の趣旨に則すれば、他の建設機械車輌にも同様趣旨で採用することが可能である。
【図面の簡単な説明】
【図１】図１は、本発明にかかるウオッシャタンク取付構造が適用されるブルドーザの一実施形態全体斜視図である。
【図２】図２は、ウオッシャタンク取付要部の平面図である。
【図３】図３は、バッテリー収納部に配置されたウオッシャタンクの取出し態様を表わす斜視図である。
【図４】図４は、従来のウオッシャタンク取付部の構造の一例を表わす要部正面図である。
【符号の説明】
１                    ブルドーザ
２                    車体
３                    運転室
３ａ                  運転室の前窓
３ｂ                  運転室の前側部窓
７                    ワイパー装置
９                    バッテリー収納部
１０                  サイドカバー
１２                  バッテリー
１３                  固定支持部材
１３ａ                固定支持部材の部片
１５                  ウオッシャタンク
１６                  ウオッシャタンクの取付フレーム
【図１】
2004196037.tif 000003
【図２】
2004196037.tif 000004
【図３】
2004196037.tif 000005
【図４】
2004196037.tif 000006